(57)【要約】【課題】剥離シートとその支持部材からなる構成の剥離部材において、剥離シートと支持部材とを均一に安価に固定でき、剥離シートの波打ち現象を抑制でき、優れた紙剥離性能を発揮できる剥離部材を提供する。【解決手段】剥離部材１は、電子写真装置のローラに先端部２ｅを接触または近接させる剥離シート２と、これを支持する支持部材３とを有し、剥離シート２の先端部２ｅは剥離シート２の一長辺側の端部であり、剥離シート２に支持部材３との係合部２ａを有し、係合部２ａは剥離シートの長手方向に沿って離間して複数個設けられ、剥離シート２の先端部２ｅが、係合部２ａによる形状的な係合により支持部材３に固定されている。【選択図】図２
2015049288.tif 000002
【特許請求の範囲】
【請求項１】
電子写真装置のローラから用紙を剥離する剥離部材であって、
前記ローラに先端部を接触または近接させる剥離シートと、該剥離シートを支持する支持部材とを有し、
前記剥離シートの前記先端部は、前記剥離シートの一長辺側の端部であり、
前記剥離シートおよび前記支持部材の少なくとも一方に、他方との係合部を有し、該係合部はそれぞれの長手方向に沿って離間して複数個設けられ、
前記剥離シートの前記先端部が、前記係合部による形状的な係合により前記支持部材に固定されていることを特徴とする剥離部材。
【請求項２】
前記係合部は、前記長手方向の幅の１／１０以下の間隔で離間して配置されていることを特徴とする請求項１記載の剥離部材。
【請求項３】
前記係合部は、前記剥離シートの反通紙面側に突出して設けられた引掛け爪であり、前記剥離シートの前記先端部は、前記引掛け爪を前記支持部材の一部に引掛けることで前記支持部材に固定されていることを特徴とする請求項１または請求項２記載の剥離部材。
【請求項４】
前記支持部材は板状部分を有し、
前記剥離シートは、その反通紙面と前記引掛け爪とで前記板状部分を挟み込み、前記板状部分と重ねられた状態で固定されていることを特徴とする請求項３記載の剥離部材。
【請求項５】
前記剥離シートは通紙面から凹んだ形状の段部Ａを有し、前記支持部材は前記段部Ａと嵌合する段部Ｂを有し、前記段部Ａと前記段部Ｂとが締結部材により締結され、前記段部Ａは前記締結部材が前記通紙面から突出しない高さに凹んだ形状であることを特徴とする請求項１から請求項４のいずれか１項記載の剥離部材。
【請求項６】
前記剥離シートは、前記先端部の少なくとも通紙面にシリコーン系粘着剤を介して非粘着性樹脂フィルムが貼付されてなり、
前記非粘着性樹脂フィルムは、ポリテトラフルオロエチレン樹脂、テトラフルオロエチレン−パーフルオロアルキルビニルエーテル共重合体樹脂、テトラフルオロエチレン−ヘキサフルオロプロピレン共重合体樹脂、およびテトラフルオロエチレン−エチレン共重合体樹脂から選ばれる少なくとも一つのフッ素樹脂フィルムであることを特徴とする請求項１から請求項５のいずれか１項記載の剥離部材。
【発明の詳細な説明】
【技術分野】
【０００１】
本発明は複写機やレーザービームプリンタなどの電子写真装置に設置される各種ローラから用紙を剥離する剥離部材に関し、特に定着ローラなどの定着部材用の剥離部材に関する。
【背景技術】
【０００２】
複写機やレーザービームプリンタなどの電子写真装置には、感光ドラム上に形成された静電潜像をトナーなどの現像剤を用いて用紙上に現像し、その後定着させるために各種のローラが設けられている。現像部には感光ドラムや、乾式電子写真装置を除いて、オイル塗布ローラなどがあり、定着部には定着ローラや加圧ローラなどを有している。従来、感光ドラム、定着ローラ、加圧ローラなどには、用紙がローラに巻き付き円滑な動作の妨げになるのを防ぐために分離爪が設けられている。この分離爪は、その先端をローラの外周面に摺接させながら用紙の端をすくい上げることにより、ローラに用紙が巻き付くことを防いでいる。この分離爪のローラとの接触部の幅は約１〜１０ｍｍであり、１本のローラに対して４〜１６個配置されている。分離爪はローラに対し局部的に接触しているため、どうしてもローラを部分的に摩耗させてしまい良好な画像が得られなくなる。また、用紙に対しても局部的に接触するため、用紙に転写された現像剤を掻き取りやすく、さらに掻き取った現像剤が分離爪にも付着することによって用紙が汚れやすくなる場合があった。
【０００３】
このような問題に対して、電子写真装置のローラに線接触できる剥離部材として、ローラから用紙を剥離する、金属薄板からなる剥離シートを、レーザースポット溶接により金属製の支持部材に接合してなる剥離部材が提案されている（特許文献１参照）。この剥離部材は、剥離シートによるローラとの線接触が可能であり、該ローラの局部的な摩耗などを防止できる。
【０００４】
また、定着ローラなどの表面に傷を付けることを防止し、二次転写不良などを防ぐ剥離装置として、定着ローラに近接させる先端部を所定の曲率半径を有する構造とした剥離ガイド部材と、これを支持するサポート部材とを備えた剥離装置が提案されている（特許文献２参照）。
【先行技術文献】
【特許文献】
【０００５】
【特許文献１】特開２００２−９１２２２号公報
【特許文献２】特開２００３−１２２１７１号公報
【発明の概要】
【発明が解決しようとする課題】
【０００６】
特許文献２の剥離ガイド部材は、合成樹脂の射出成形体であり、その先端部は、表面側および裏面側に補強用の複数のリブが設けられ、定着ローラに向けて肉厚が薄くなるようにテーパ状に形成されている。剥離ガイド部材の先端部にリブを設けて補強した構造とすることで、該先端部の変形を防止し直線性を担保して、定着ローラ表面に対して精度よく近接させている。また、垂直方向および水平方向の複数の位置決め部を一体に有し、これらの部分でサポート部材と位置決めして固定されている。しかしながら、この剥離ガイド部材では、上述の先端部や位置決め部が複雑構造となり、剥離装置の小型（コンパクト）化が困難であり、設計レイアウトの自由度に大きな制約が生じる。また、さらなる電子写真装置の小型化への対応が困難である。
【０００７】
一方、特許文献１の剥離部材は、薄板である剥離シートを金属製ベースプレートである支持部材により支持して該剥離シート先端部の精度を担保する構造であるため、簡易な形状であり、薄型化や小型化が可能である。また、支持部材と剥離シートとがレーザースポット溶接により接合されているので、剥離シートと支持部材とを接着剤により接合する場合と比較して、接合力が熱的に安定する。このため、薄板である剥離シートを用いながら、この剥離シートの波打ち現象の発生を抑制できる。なお、波打ち現象とは、剥離シートと支持部材とが、部分的に剥がれて剥離シートに波打ちを生じ、用紙がスムーズに剥離できない状態となる現象をいう。
【０００８】
しかしながら、支持部材にレーザースポット溶接で剥離シートを溶接するには、レーザー照射装置や専用治具などの設備が必要になり、製造コストが高くなる。また、剥離シートと支持部材の材質によっては、十分な接合強度を確保した溶接が困難であり、波打ち現象を抑制できないおそれがある。
【０００９】
本発明はこのような問題に対処するためになされたものであり、剥離シートとその支持部材からなる構成の剥離部材において、剥離シートと支持部材とを均一に安価に固定でき、かつ、剥離シートの波打ち現象を抑制でき、優れた用紙剥離性能を発揮できる剥離部材を提供することを目的とする。
【課題を解決するための手段】
【００１０】
本発明の剥離部材は、電子写真装置のローラから用紙を剥離する剥離部材であって、上記ローラに先端部を接触または近接させる剥離シートと、該剥離シートを支持する支持部材とを有し、上記剥離シートの先端部は上記剥離シートの一長辺側の端部であり、上記剥離シートおよび上記支持部材の少なくとも一方に、他方との係合部を有し、該係合部はそれぞれの長手方向に沿って離間して複数個設けられ、上記剥離シートの上記先端部が、上記係合部による形状的な係合により上記支持部材に固定されていることを特徴とする。
【００１１】
ここで「近接する」とは、用紙がローラに巻き付くことを防止できる程度に、剥離シートの一辺がローラに接近配置されていることをいう。なお、電子写真装置のローラとは、例えば、感光ドラム、定着ローラ（ベルトロールを含む）、加圧ローラなどである。
【００１２】
上記係合部は、上記長手方向の幅の１／１０以下の間隔で離間して配置されていることを特徴とする。
【００１３】
上記係合部は、上記剥離シートの反通紙面側に突出して設けられた引掛け爪であり、上記剥離シートの上記先端部は、上記引掛け爪を上記支持部材の一部に引掛けることで上記支持部材に固定されていることを特徴とする。また、上記支持部材は板状部分を有し、上記剥離シートは、その反通紙面と上記引掛け爪とで上記板状部分を挟み込み、上記板状部分と重ねられた状態で固定されていることを特徴とする。
【００１４】
上記剥離シートは通紙面から凹んだ形状の段部Ａを有し、上記支持部材は上記段部Ａと嵌合する段部Ｂを有し、上記段部Ａと上記段部Ｂとが締結部材により締結され、上記段部Ａは上記締結部材が上記通紙面から突出しない高さに凹んだ形状であることを特徴とする。
【００１５】
上記剥離シートは、上記先端部の少なくとも通紙面にシリコーン系粘着剤を介して非粘着性樹脂フィルムが貼付されてなり、上記非粘着性樹脂フィルムは、ポリテトラフルオロエチレン（ＰＴＦＥ）樹脂、テトラフルオロエチレン−パーフルオロアルキルビニルエーテル共重合体（ＰＦＡ）樹脂、テトラフルオロエチレン−ヘキサフルオロプロピレン共重合体（ＦＥＰ）樹脂、およびテトラフルオロエチレン−エチレン共重合体（ＥＴＦＥ）樹脂から選ばれる少なくとも一つのフッ素樹脂フィルムであることを特徴とする。
【発明の効果】
【００１６】
本発明の剥離部材は、電子写真装置のローラに先端部（一長辺側の端部）を接触または近接させる剥離シートと、この剥離シートを支持する支持部材とを有し、該剥離シートおよび支持部材の少なくとも一方に、他方との係合部を有し、該係合部はそれぞれの長手方向に沿って離間して複数個設けられ、剥離シートの先端部が上記係合部による形状的な係合により支持部材に固定されているので、レーザー溶接のような専用治具やレーザー発生装置が不要であり、安価に剥離部材を製造できる。また、レーザー溶接品と同様に熱的に安定するとともに、接着剤を用いる場合に部分的に剥がれる等の部位による結合力のばらつきがなくなり、長期間維持にわたり剥離シートの先端部を支持部材に均一に安定して固定できる。このため、剥離シートの波打ち現象を抑制して用紙をスムーズに剥離できるなど、優れた用紙剥離性能を発揮できる
【００１７】
また、上記係合部は、各部材の長手方向の幅の１／１０以下の間隔で離間して配置されているので、より安定して剥離シートの先端部を支持部材に固定できる。
【００１８】
また、上記係合部は、剥離シートの反通紙面側に突出して設けられた引掛け爪であり、剥離シートの先端部が、引掛け爪を支持部材の一部に引掛けることで支持部材に固定されているので、剥離シートの通紙面は突起の無いフラットな面を維持することができ、用紙剥離性能の低下を防止できる。この構成において、さらに、支持部材が板状部分を有し、剥離シートがその反通紙面と引掛け爪とで該板状部分を挟み込み、板状部分と重ねられた状態で固定されているので、支持部材の板状部分と剥離シートとが平面部同士を重ねた状態で密接して固定され、剥離シートの先端部の水平精度を高く維持できる。
【００１９】
また、上記剥離シートは、その先端部の少なくとも通紙面にシリコーン系粘着剤を介して非粘着性樹脂フィルムが貼付されてなるので、剥離シートに強固に接着でき、定着温度においても接着効果が維持でき、高温耐久性に優れる。また、粘着剤によるクッション効果も期待できる。さらに、この非粘着性樹脂フィルムは、ＰＴＦＥ樹脂、ＰＦＡ樹脂、ＦＥＰ樹脂、およびＥＴＦＥ樹脂から選ばれる少なくとも一つのフッ素樹脂フィルムであるので、トナーの付着防止効果が非常に高く、用紙との低摩擦特性に優れる。
【図面の簡単な説明】
【００２０】
【図１】剥離部材を用いた定着装置の概要図である。
【図２】本発明の剥離部材の一例を示す斜視図である。
【図３】図２の剥離部材の一部拡大図および組立斜視図である。
【図４】図２の剥離部材のボルト部位の断面図（端面図）および引掛け爪部位の断面図（端面図）である。
【発明を実施するための形態】
【００２１】
本発明の剥離部材を用いた定着装置を図１に基づいて説明する。図１は剥離部材を用いたヒートローラ方式の定着装置の概要図である。定着装置は、ヒータ６ａが内蔵され、矢印Ａ方向に回転する定着ローラ６と、この定着ローラ６に接触して矢印Ｂ方向に回転する加圧ローラ７と、定着ローラ６および加圧ローラ７が接触して形成されるニップ部８の付近に配置される剥離部材１とから構成される。用紙９上に形成されたトナー像がニップ部８で定着されて定着された画像となる。ニップ部８を通過した用紙９を定着ローラ６から剥離できるように、剥離部材１を構成する剥離シート２の先端部２ｅが、定着ローラ６に接触または近接する位置に配置されている。
【００２２】
本発明の剥離部材の一例を図２に基づいて説明する。図２は剥離部材の斜視図である。図２に示すように、剥離部材１は、平面形状が略長方形である剥離シート２と、剥離シート２をその長手方向にわたって支持固定する支持部材３とを備えてなる。図中の黒矢印が通紙方向であり、剥離シート２および支持部材３の長手方向と通紙方向とは直交している。剥離シート２において、支持部材３に支持固定される面が反通紙面、その反対面が通紙面となる。剥離部材１は、非粘着性樹脂フィルム４が貼付された剥離シート２の先端部２ｅを、定着ローラなどの各種ローラに接触または近接する位置に配置して、ローラから剥がれた用紙の端部を拾い取る（図１参照）。剥離シート２の先端部２ｅは、通紙方向上流側であり、該剥離シートの一長辺側の端部である。本発明の剥離部材は、剥離シート２の先端部２ｅが、接着剤や溶接を用いずに、長手方向に沿って離間して複数個設けられた係合部（引掛け爪２ａ）による形状的な係合により支持部材３に固定されていることを特徴としている。
【００２３】
剥離シートおよび支持部材を図３に基づいて説明する。図３は、図２の一部を拡大した斜視図およびその組立斜視図である。図３に示すように、支持部材３は、板状部分３ａと、その平板面から凹んだ形状の段部３ｂ（段部Ｂ）とを有する。段部３ｂは、剥離シート２をボルトなどの締結部材で固定するための穴３ｃを有する。また、板状部分３ａの通紙方向下流側の端部に、該板状部分３ａを反通紙面側に略垂直に折り曲げた折り曲げ部３ｄを有する。折り曲げ部３ｄにより、用紙剥離時に必要となる剛性を確保できる。図３の支持部材３は、剥離シート２よりも厚い一枚の金属厚板を用い、これを折り曲げて折り曲げ部３ｄを形成し、プレス加工により段部３ｂを形成している。
【００２４】
剥離シート２は、薄板からなる長尺平板である。図３に示すように、剥離シート２は、通紙方向上流側の先端部２ｅまたはその近傍に、支持部材との係合部である引掛け爪２ａを有する。引掛け爪２ａは、反通紙面側に突出して設けられている。また、剥離シート２は、通紙方向下流側に、その平板面から凹んだ形状の段部２ｂ（段部Ａ）を有する。段部２ｂは、支持部材３の段部３ｂに対応する位置（嵌合可能な位置）に設けられている。段部２ｂは、支持部材３とボルトなどの締結部材で固定するための穴２ｃを有し、該段部２ｂは締結部材の締結時の上端位置が通紙面から突出しない高さに凹んだ形状である。また、剥離シート２の通紙方向下流側の端部に、該シートを反通紙面側に折り曲げた折り曲げ部２ｄを有する。折り曲げ部２ｄにより、非粘着性樹脂フィルム４の貼付時に必要となる剛性を確保できる。図３の剥離シート２は、支持部材３よりも薄い一枚の金属薄板を用い、これを折り曲げて折り曲げ部２ｄを形成し、プレス加工により引掛け爪２ａおよび段部２ｂを形成している。
【００２５】
引掛け爪２ａは、シート面の一部に、先端部２ｅ側の辺を残して略四角状に切り込みを入れ、該片を反通紙面側に略垂直に折り曲げ、さらにこれをシートと水平に通紙方向下流側に略垂直に折り曲げたカギ状としている。この引掛け爪２ａを、支持部材３の板状部分３ａの端部３ｅに嵌め込み嵌合させることで、剥離シート２の先端部２ｅが支持部材３に固定される。
【００２６】
係合部である引掛け爪の形状は、支持部材の一部と係合可能（引掛け可能）な形状であれば特に限定されず、図３に示すものと近い構造で平面略三角状のカギ状や、支持部材側も含めた任意の相補的な嵌合形状とできる。 また、すべての係合部が同じ形状である必要はなくサイズや形状を適宜変化させてもよい。さらに、本発明における係合部は、剥離シートと支持部材の少なくともいずれか一方に設ければよく、図３等に示すものに限定されずに、支持部材側に引掛け爪を設ける構成としてもよい。係合部は、少なくとも剥離シートの通紙面側に突出しない構造とすることで、用紙剥離性能の低下を防止できる。
【００２７】
係合部である引掛け爪２ａは、長手方向に沿って離間して複数個設けられている。また、図２および図３では、各引掛け爪２ａは、先端部２ｅの末端２ｆからの距離が一定に、すなわち末端２ｆに対して平行に設けられている。引掛け爪２ａの個数は、機械的強度を考慮して可能な範囲で、多い方が好ましい。また、引掛け爪２ａ同士の間隔は、機械的強度を考慮して可能な範囲で、狭い方が好ましい。係合部である引掛け爪２ａを、長手方向に沿って、かつ、末端２ｆに対して平行に複数個設け、さらに、引掛け爪２ａ同士の間隔を狭くして、その個数を多くすることで、剥離シート２の先端部２ｅが支持部材３により安定して固定される。なお、先端部２ｅの剛性を維持するため、引掛け爪２ａの長手方向幅は、下記の長手方向で隣り合う引掛け爪同士の間隔よりも小さいことが好ましい。
【００２８】
長手方向で隣り合う引掛け爪２ａ同士の間隔としては、各引掛け爪２ａをすべて同じ形状とし、剥離シートの長手方向の幅の１／１０以下の間隔とすることが好ましい。例えば、剥離シートの長手方向幅が３００ｍｍである場合には、間隔を３０ｍｍ以下とする。また、各間隔は、等間隔とすることが好ましい。上記間隔の下限については、金属薄板を材質とする場合のプレス精度や機械的強度を考慮すれば、剥離シートの長手方向の幅の１／３０以上とすることが好ましい。なお、ここでの間隔とは、引掛け爪の中心位置（剥離シートの長手方向での中心位置）の長手方向間の距離をいう。
【００２９】
剥離シート２は、ローラの軸方向長さと略同じ長さの接触幅Ｌを有している（図２参照）。接触幅が大きいことによってローラに対する単位面積当たりの接触圧力が小さくなりローラ表面の局部的な摩耗が防止できる。なお、ローラの軸方向長さと略同じ長さとは、上記効果が得られる程度の長さをいい、具体的には少なくともローラの軸方向長さの半分程度以上であって、ローラの軸方向長さと同じか僅かに長ければよい。
【００３０】
また、剥離シート２の先端部２ｅの末端２ｆの厚さ方向を、エッジのない曲面とすることが好ましい。この端部の厚さ方向を曲面とすることで、定着ローラなどに対して定圧以上の圧接状態になった場合でも定着部材の表面を傷付けることがない。上記曲面は金属薄板からなる剥離シートを所定形状に加工した後で機械加工してもよいが、カッティングと同時に加圧成形することができるプレスカットにより加工することが望ましい。
【００３１】
剥離シートは、その先端部の少なくとも通紙面に、用紙剥離性能が向上するように、潤滑性被膜を塗布するか、または非粘着性樹脂フィルムを貼付することが好ましい。特に、非粘着性樹脂フィルムを貼付することが用紙剥離性能と高温耐久性に優れるため好ましい。図３に示す例では、非粘着性樹脂フィルム４が、剥離シート２の先端部２ｅを覆うように通紙面から反通紙面にわたり貼付されている。図３では、非粘着性樹脂フィルム４が引掛け爪２ａを覆い、段部２ｂの手前までの範囲に貼付されているが、必要に応じて段部間も含めて貼付してもよい。剥離シート２は、予め非粘着性樹脂フィルム４が貼付された状態で、支持部材３と固定される。
【００３２】
剥離シートと支持部材との固定構造を図３（最下図）と図４に基づいて説明する。図４（ａ）は剥離部材のボルト部位の断面図（端面図）を、図４（ｂ）は剥離部材の引掛け爪部位の断面図（端面図）をそれぞれ示す。図３および図４（ｂ）に示すように、支持部材３の板状部分３ａの端部３ｅに、剥離シート２の引掛け爪２ａを嵌め込んで嵌合させる。また、図３および図４（ａ）に示すように、剥離シート２の段部２ｂが支持部材３の段部３ｂに嵌合されて、両穴（２ｃと３ｃ）を通してボルト５で締結される。これにより、剥離シート２は、その反通紙面と引掛け爪２ａとで板状部分３ａを挟み込み、板状部分３ａと重ねられた状態で、支持部材３に固定される。なお、各図に示すように、剥離シート２の先端部２ｅは、その全部または一部が支持部材３から突出して固定される。
【００３３】
剥離部材１では、ボルト締結により、剥離シート２を支持部材３に対して全体的に強固に固定しつつ、係合部である引掛け爪２ａにより、剥離シート２の先端部２ｅを支持部材に固定して、剥離性能に大きな影響を与える剥離シート先端部の水平精度を高く維持している。このため、優れた用紙剥離性能を発揮できる。また、剥離シートや支持部材として後述の任意の材料を用いた場合でも、安定した固定が可能である。
【００３４】
剥離シートの材質および厚さについて詳細に説明する。
剥離シートの材質としては、上述の金属薄板とする場合、鉄、アルミニウム、銅、ステンレス鋼などを使用できる。特に、ステンレス鋼であれば錆びることがなく、加工が容易であり安価なため好ましい。金属薄板とすることで、高い剛性を確保しやすい。また、プレス加工や絞り加工により、係合部や段部を容易に成形できる。
【００３５】
剥離シートの厚さは５０μｍ〜５００μｍの範囲が好ましい。５０μｍ未満では剥離力が確保されないおそれや、ジャミング時に変形するおそれがある。５００μｍをこえると剥離すべき用紙が、シートの先端部に突き当たり、ジャミングの発生原因となるおそれがある。より好ましい剥離シートの厚さは、１００μｍ〜４００μｍである。
【００３６】
支持部材の材質としては、上述の金属厚板とする場合、剥離シートと同様に鉄、アルミニウム、銅、ステンレス鋼などを使用できる。剥離シートと同様の理由でステンレス鋼が好ましい。また、支持部材を構成する金属厚板の厚さは、剥離シートを取付ける取付強度を十分に確保するために、８００μｍ以上が好ましい。
【００３７】
剥離シートおよび支持部材を金属板とする場合、それぞれ、長手方向が金属板の圧延方向に対して直角方向となるように切り出した金属板を使用することが好ましい。これにより、各金属板の使用時の変形を防止できる。
【００３８】
また、剥離シートおよび支持部材を樹脂成形体としてもよい。樹脂としては、芳香族ポリエステル樹脂などの液晶樹脂（ＬＣＰ）、ポリフェニレンサルファイド（ＰＰＳ）樹脂、ポリエーテルエーテルケトン（ＰＥＥＫ）樹脂、ポリアセタール（ＰＯＭ）樹脂、ポリアミド（ＰＡ）樹脂などの結晶性樹脂、あるいは、ポリエーテルイミド（ＰＥＩ）樹脂、ポリフェニルサルフォン（ＰＰＳＵ）樹脂、ポリエーテルサルフォン（ＰＥＳ）樹脂、ポリフェニレンエーテル（ＰＰＥ）樹脂、ポリアミドイミド（ＰＡＩ）樹脂などの非晶性樹脂を使用できる。樹脂成形体とすることで、射出成形などにより複雑形状の係合部を容易に形成できる。なお、各部材の厚さや形状は、金属板の場合と同様にできる。
【００３９】
剥離シートと支持部材とは、使用温度範囲（室温〜２００℃）における平均線膨張係数が略同一である材料を用いることが好ましい。剥離シートの先端部は、係合部による形状的な係合（嵌合）により固定されるため、定着部での高温条件下では膨張によるズレ等が生じるおそれがある。剥離シートと支持部材との線膨張係数を極力合わせることで、これを抑制できる。好ましくは、剥離シートと支持部材とで同一材料を用いる。
【００４０】
剥離シートに貼付する非粘着性樹脂フィルムについて詳細に説明する。
非粘着性樹脂フィルムは、現像剤の付着が防止できる程度に非粘着性特性を有する樹脂フィルムであり、具体的には純水との接触角が８０度以上の樹脂フィルムを指す。なお、本発明における接触角は、室温２３−２６℃、湿度５０−６０％の雰囲気下で、樹脂フィルム表面に純水５μｌを滴下し、滴下１秒後の接触角を、ゴニオメーター式測定器（エルマ光学社製：接触角測定器Ｇ−１）を用いて測定した値である。純水との接触角が８０度以上の樹脂フィルムとしては、ポリエチレン樹脂フィルム（８１度）、ポリプロピレン樹脂フィルム（９１度）、および、ＰＴＦＥ樹脂（１１５度）、ＰＦＡ樹脂（１０９度）、ＦＥＰ樹脂（１１４度）、ＥＴＦＥ樹脂（９６度）、ポリクロロトリフルオロエチレン樹脂（８４度）、クロロトリフルオロエチレン−エチレン共重合体樹脂（８５度）、ポリビニリデンフルオライド樹脂（８２°）、ポリビニルフルオライド樹脂（８０度）などの公知のフッ素樹脂からなるフィルムが使用できる。
【００４１】
特に、ＰＴＦＥ樹脂、ＰＦＡ樹脂、ＦＥＰ樹脂、またはＥＴＦＥ樹脂からなるフッ素樹脂フィルムは、接触角が９６度以上でありカラートナー（ポリエステル系バインダー樹脂を用いたトナーなど）に対する非粘着性にも優れており、また、耐熱性も十分に有する。
【００４２】
フッ素樹脂フィルムとしては、フッ素樹脂が１００％もしくは主成分のフィルム（シート）であり、ビレットからのスカイブ品やペースト押出しによるもの、溶融押出しによるもの等を用いることができる。トナーに対する非粘着性を低下させないためには、フッ素樹脂フィルムは、配合材を含まないナチュラル材であることが好ましい。なお、トナーに対する非粘着特性を確保可能な範囲であれば、非粘着性樹脂フィルムをケッチェンブラックやアセチレンブラックなどのカーボン微粉末を配合した非粘着性樹脂から形成することによって、静電気による用紙剥離性能の低下を防止することもできる。
【００４３】
フッ素樹脂などの非粘着性樹脂フィルムの厚さは１０μｍ〜２００μｍの範囲が好ましく、より好ましい範囲は４０μｍ〜８０μｍである。１０μｍ未満の厚さでは、現像剤との摩擦によって破れが生じるおそれや、僅かな摩耗によって剥離シートが露出するおそれがある。また、剥離シートへの貼付工程で皺になりやすく、取り扱いが困難になる。２００μｍをこえる厚さになると用紙剥離性能が低下する。
【００４４】
剥離シートへの非粘着性樹脂フィルムの貼付は、粘着剤、特に、シリコーン系粘着剤を貼付面に介在させて行なうことが好ましい。例えば、剥離シートへの貼付面にシリコーン系粘着剤が予め付けられた非粘着性樹脂フィルムを用いる。シリコーン系粘着剤を介在させることで、剥離シートに強固に接着され定着温度においても接着効果が維持でき、粘着剤によるクッション効果も期待できる。その他、接着効果を高めるため、剥離シートへの貼付面に、例えば、コロナ放電処理、スパッタエッチング処理、プラズマエッチング処理、金属ナトリウムによるＴＯＳ処理、紫外線照射処理などの表面処理を施すことが望ましい。
【００４５】
シリコーン系粘着剤としては、例えば、ＳｉＯ２単位と（ＣＨ３）３ＳｉＯ単位とからなる共重合体とジオルガノポリシロキサン生ゴムを縮合させて得た粘着剤が挙げられる。このシリコーン系粘着剤を用いることにより、非粘着性樹脂フィルムを剥離シートに強固に接着可能であり、定着温度（例えば、２００℃以上）においても接着効果が維持できる。また、粘着剤層を薄くすることができ、粘着剤層によって剥離部材の厚さが剥離機能を損なうほど厚くなることがない。シリコーン系粘着剤層の厚さは５μｍ〜５０μｍの範囲の厚さであればよい。５μｍより薄いと接着効果が十分に得られない。また、５０μｍより厚いと剥離部材の厚さが相対的に厚くなることにより用紙剥離性能が低下するおそれがある。
【００４６】
また、剥離シートへの非粘着性樹脂フィルムの貼付は、粘着剤を介在させずに行なうこともできる。例えば、金属薄板からなる剥離シートの貼付面をプラズマエッチング処理などで粗面化した後、非粘着性樹脂フィルムを加熱圧着する方法が挙げられる。
【実施例】
【００４７】
［実施例１］
厚さ２００μｍのステンレス（ＳＵＳ３０４ＣＳＰ）からなる金属薄板を接触幅（Ｌ）となる長さ３１０ｍｍ、幅２５ｍｍにカットして、その内幅５ｍｍ長さ３１０ｍｍを直角に曲げた。曲げた側の金属薄板の７ヶ所にボルトの頭が、完全に金属薄板の２０ｍｍ幅の面より出ない程度に凹み段部を設け、凹み段部の底面にボルト穴を設けた。反対側の切断面から５ｍｍの位置にカギ状の引掛け爪を２０ｍｍ間隔で１６個設けた剥離シートとなる金属薄板を準備した。この剥離シートの切断面に生じたバリを丁寧に取り除き、ローラと接触する部位となる角部を曲率半径Ｒ０．０１ｍｍ〜Ｒ０．０３ｍｍ程度に丸めた。
【００４８】
この剥離シートの先端部にフッ素樹脂フィルムを貼付けた。フッ素樹脂フィルムとしては、厚さ５０μｍのＰＴＦＥ樹脂フィルム（ＮＴＮ精密樹脂社製ベアリーＦＬ３０９０）を準備し、金属薄板に貼付する表面に対して金属ナトリウムのアンモニア溶液に浸漬するエッチング処理を行なった。このフッ素樹脂フィルムのエッチング処理面に、ジメチルポリシロキサン生ゴムを含むシリコーン系粘着剤溶液（信越化学社製ＫＲ１０１）を均一に塗布し１２０〜２００℃で加熱乾燥した。その後室温まで自然冷却を行ない、約３０μｍのシリコーン系粘着剤層を形成した。
【００４９】
フッ素樹脂フィルムを粘着剤層を有する表面を表向きにして皺にならないように平滑な板上に敷き、次に面取りされた剥離シートを石油ベンジンで十分に脱脂した後、フッ素樹脂フィルムの中央部に角部を丸めたローラ接触部を配置した。このローラ接触部を境界としてフィルムを剥離シート表面に貼付した。このようにしてローラ接触部および裏表面にフッ素樹脂フィルムをシリコーン系粘着剤を介して接着した剥離シートを得た。なお、剥離シートの全厚さは２３０μｍである。
【００５０】
次に、厚さ１ｍｍの金属薄板と同じステンレス材を長さ３１０ｍｍ、幅３５ｍｍにカットして、その内幅１０ｍｍ長さ３１０ｍｍを直角に曲げた。次に曲げた側で、金属薄板に設けた７ヶ所の穴と同じ位置に、バーリング、タップ加工を施し、支持部材を製作した。この支持部材に剥離シートの引掛け爪を嵌め込み嵌合後、ボルトで固定して、図１に示す形状の剥離部材を得た。
【００５１】
この剥離部材を試験用複写機（定着温度１９０℃、Ａ４複写速度５７枚／分）の定着部にセットし、画像比率３０％のラインチャートを原稿とし、Ａ４普通紙を用いて、５０００枚の連続通紙による複写試験を３００００枚まで行なった。５０００枚毎に試験機を止め、複写済みの用紙を目視によって画像低下の有無を確認した。さらに、剥離部材を定着部から取り外し、フッ素樹脂フィルムの摩耗、トナー付着の有無および定着ローラの摩耗状況を確認した。
【００５２】
試験の結果、実施例１の剥離部材は、３００００枚の通紙試験終了まで画像低下がみられず、通紙試験終了後に確認したフッ素樹脂フィルムには損傷はなかった。また、剥離シート部分にトナーの付着はなく、さらに定着ローラの摩耗も認められなかった。
【００５３】
［比較例１］
実施例１で用いた剥離シートにおいて、その引掛け爪を形成していないものと、実施例１で用いた支持部材とを、シリコンゴム系接着剤である信越化学製ＲＴＶ−ＫＥ１８００ＡＢＣにて相互に接合し、実施例１と同一の評価試験を行なった。試験の結果、剥離シートの接合部全体が剥がれてしまった。
【産業上の利用可能性】
【００５４】
本発明の剥離部材は、剥離シートとその支持部材からなる構成の剥離部材において、剥離シートと支持部材とを均一に安価に固定でき、優れた用紙剥離性能を発揮できるので、電子写真装置に設置される定着ローラなどの各種ローラから用紙を剥離するための剥離部材として好適に利用できる。
【符号の説明】
【００５５】
１  剥離部材
２  剥離シート
３  支持部材
４  非粘着性樹脂フィルム
５  ボルト
６  定着ローラ
７  加圧ローラ
８  ニップ部
９  用紙
【図１】
2015049288.tif 000003
【図２】
2015049288.tif 000004
【図３】
2015049288.tif 000005
【図４】
2015049288.tif 000006